(57)【要約】【課題】  偏り傾向のある洗浄水をシリンダー内に保水して、前記シリンダー内を満遍なく洗浄可能にする。【解決手段】  ピストン１０は、開放室１６寄りのリブ１９の内側に輪溝２０を形成すると共に、前記リブ１９を貫通するノズル２１を前記輪溝２０に臨ませる結果、前記ノズル２１から噴出する洗浄水は前記輪溝２０内に保水され、前記ピストン１０の往復動により、シリンダー１４の内面に付着する残量膜を前記の保水洗浄水とて洗い流す。この場合、前記リブ１９の周囲に形成する狭い間隙は、前記輪溝２０から前記開放室１６方向の漏水量の調整を行ない、前記輪溝２０における保水効果と、保水液の積極交換効果を上げる。【選択図】  図１
2006069599.tif 000002
【特許請求の範囲】
【請求項１】
ピストンの往復動により、前記ピストンを囲繞するシリンダーの計量側室内にタンク内の粘性物を吸引したあと、同粘性物を前記計量側室から押し出す充填機であって、前記ピストンを隔てる前記計量室反対の外側開放室寄りにおいて前記ピストン周面に輪溝を形成し、前記開放室側から前記輪溝内にノズルを設置すると共に、該ノズルから噴出する洗浄水を前記輪溝内に保水し、該輪溝外側のリブ周面に形成した漏水量調整間隙により、前記輪溝から前記開放室へのリーク量を一定に調整する装置。
【請求項２】
溝外側リブの開放室側に、シリンダー内面に接触して輪溝からのリークが可能で逆流を阻止する逆止鰭を設置した請求項１に記載の装置。
【請求項３】
開放室側においてピストンに接続したロッドの周囲にスリーブを回転自在に設置すると共に、同スリーブの前記ピストン近傍に、シリンダー内面に接するブラシを配置し、前記スリーブを介して前記ブラシに回転動力を伝達する請求項１または２に記載の装置。
【請求項４】
スリーブの周面に形成した雄ねじと、シリンダーに連結するねじブロック周囲の雌ねじとを係合すると共に、ピストンロッドのストローク運動によりブラシに回転動力を伝達する請求項３に記載の装置。
【請求項５】
分離したねじブロックの間に一方向クラッチを介設し、前記クラッチによってブラシを同一方向のみに回転させる請求項４に記載の装置。
【発明の詳細な説明】
【技術分野】
【０００１】
本発明は、ピストンの往復運動によりタンク内の粘性物を吸引したあと包装容器に押し出す充填機の、シリンダー内面洗浄装置に関する。
【背景技術】
【０００２】
下記の特許文献１には、別紙図６に示すように、ピストン１０の往復動と同期作動する３方弁１１の切換えにより、弁ブロック１２に固定したタンク１２内の粘性物１３を、シリンダー１４内に吸引したあと、ノズル１５を介して包装容器に押し出す充填機を開示する。この種装置は一般に食品充填用であり、圧力差により前記ピストン１０の外にリークした前記粘性物１３に含まれる添加剤、例えば糖分、塩分、油脂分などがシリンダー内面１６にこびり付き、ピストンの作動を困難にする。
【０００３】
そこで、従来外部シリンダー内１６に洗浄水をノズル噴射し、ピストン摩擦によってリーク粘性物を取り除く手段を施す構造のものがあるが、図のような横式のシリンダーであれ、また縦式のシリンダーであっても、洗浄水はその重力によって下方向に偏る傾向がある。
【０００４】
【特許文献１】特開平３−２４０６２７号公報
【発明の開示】
【０００５】
解決しょうとする問題点は、偏り傾向のある洗浄水を保水してシリンダー内を満遍なく洗浄可能にすることである。
【発明を実施するための最良の形態】
【０００６】
本発明は上記の目的を達成するするために、ピストンの往復動により、前記ピストンを囲繞するシリンダーの計量側室内にタンク内の粘性物を吸引したあと、同粘性物を押し出す充填機であって、前記計量室の外側開放室寄りの前記ピストン周面に輪溝を形成し、前記開放室側から前記輪溝内に設置したノズルから噴出する洗浄水を前記輪溝内に保水すると共に、該輪溝外側のリブ周面に形成した漏水量調整間隙により、前記輪溝から前記開放室へのリーク量を一定に調整する。
【０００７】
輪溝外側のリブ周面に形成した漏水量調整間隙は、輪溝における保水効果とともに洗浄水の流れ方向を整えて濁りを排除するが、逆止鰭は、保水効果とともに逆流を阻止してより効果的に濁りの発生を排除する。
【０００８】
またピストン近傍のブラシは保水の効果があり、スリーブを介して例えばモータの回転動力を伝えることによりシリンダー内面を効果的に洗浄するが、前記スリーブの周面に形成した雄ねじと、シリンダーに連結する雌ねじとを係合し、ピストンロッドのストローク運動を利用してブラシに回転動力を伝達することも可能であり、またこの場合、前記シリンダーと雌ねじとの間に一方向クラッチを介設して、ブラシの磨耗を避けることができる。
【実施例１】
【０００９】
図１は、既に説明した図６のシリンダー１４の部分図であり、ピストン１０を隔てた上域が計量室１７に当たり、同下域が開放室１６に当たるが、前記ピストン１０周面の前記開放室１６寄りに輪溝２０を形成する。
【００１０】
詳しくは、前記構成の部分的な拡大図である図２に見るように、前記ピストン１０は、前記開放室１６寄りのリブ１９の内側に前記輪溝２０を形成すると共に、前記リブ１９を貫通するノズル２１を前記輪溝２０に臨ませる結果、チューブ４５を通しかつ前記ノズル２１から噴出する洗浄水は、前記輪溝２０内に保水される。この場合、前記リブ１９の周囲に形成する狭い間隙２２は、解放質６方向の漏水量の調整を行ない、前記輪溝２０における保水効果と、液交換効果を上げる。
【００１１】
また前記リブ１９の開放室側に設置する軟質ゴムによるスカート状の逆止鰭２３は、シリンダー１４の内面全域に均一に接触し、前記間隙２２を通しての漏水通過は許容するが、矢印２４方向の異物の侵入は阻止する機能を備える。なお前記ピストン１０の周囲に巻き付け配置したシール材２５は、図１における計量室側１７からの粘性物のリークを阻止しつつ、リークした粘性膜を、摺動摩擦でもって洗浄水により飽和させるのである。
【実施例２】
【００１２】
図３におけるシリンダー１４の開放室側１６において、ピストン１０に連結するロッド３０の端３１は、図４における同シリンダー１４内のロッド３０の端３２に連結するが、前記ロッド３０の周囲に回転自在に被さるスリーブ３３は、その内部にチューブ４５を通して中空のノズル２１を形成すると共に、該ノズルの端を輪溝２０内にポート３４として開口する一方、前記スリーブ３３の端に支持したブラシ３５を前記ピストン１０の内面に接触させ、前記ロッド３０の周りで外部から前記スリーブ３３に加える回転動力により、前記ブラシ３５を回転させる。
【実施例３】
【００１３】
また、前記スリーブ３３の回転動力として、同スリーブ３３の周面に形成した雄ねじ３６を、シリンダー１４にリブ３７を介して固定するねじブロック３８内の雌ねじ３９に係合することにより、前記ロッド３２を介してピストン１０をストロークさせる運動によって、前記ロッド３０の周りでスリーブ３３はブラシ３５と一体に正逆転させる。
【実施例４】
【００１４】
図４の、矢印V断面方向をみる図５に示すように、雌ねじ用のブロック３８を大小２つのリング３８a、３８bによって分割形成すると共に、この両リングの間に一方向クラッチ４５を介設する。前記クラッチ４５の摩擦ボールは一方向への回転にしか楔を利かさないから、図３のスリーブ３３及びブラシ３５は正逆転一方向のみに回転して、前記ブラシ３５の磨耗度を低める。
【００１５】
なお図面中、共通符号で示す構成要素による作用は、それぞれ同じである。
【図面の簡単な説明】
【００１６】
【図１】充填機用シリンダーの部分的断面図
【図２】前図の一部拡大図
【図３】異なる実施例による部分的説明図
【図４】前図に繋がる構成要素の説明図
【図５】前図におけるV−V矢印視線図
【図６】充填機の断面図
【符号の説明】
【００１７】
１０…ピストン
１２…タンク
１３…粘性物
１４…シリンダー
１６…外側開放室
１７…計量室側
１８…輪溝
２１…ノズル
１９…リブ
２２…漏水量調整間隙
２３…逆止鰭
３０…ロッド
３３…スリーブ
３５…ブラシ
３６…雄ねじ
３８…ねじブロック
３９…雌ねじ
４５一方向クラッチ
【図１】
2006069599.tif 000003
【図２】
2006069599.tif 000004
【図３】
2006069599.tif 000005
【図４】
2006069599.tif 000006
【図５】
2006069599.tif 000007
【図６】
2006069599.tif 000008